(57)【要約】【課題】面発光照明器具において、人や什器等が積載されても耐えられる強度を有すると共に、均一な面輝度が得られるようにする。【解決手段】面発光照明器具１は、光出射用の開口面２１を有する筐体２と、開口面２１に取り付けられる透光性を有するパネル３と、筐体２に収容される光源４とを備える。筐体２の内部空間にパネル３を支持するパネル支持ブロック５が配置される。パネル支持ブロック５は、筐体２の開口面２１の略法線方向を軸とする複数の透光性を有する筒状体５１から成り、これら複数の筒状体５１は面状に互いに隣接して設けられている。これにより、パネル支持ブロック５が、筐体２内の光に対する障害となることなく、パネル３を支持する。【選択図】図１
2010123378.tif 000002
【特許請求の範囲】
【請求項１】
光出射用の開口面を有する筐体と、前記開口面に取り付けられる透光性を有するパネルと、前記筐体に収容される光源と、を備えた面発光照明器具であって、
前記筐体の内部空間に配置され、前記パネルを支持するパネル支持ブロックを備え、
前記パネル支持ブロックは、前記開口面の略法線方向を軸とする複数の透光性を有する筒状体から成り、これら複数の筒状体は面状に互いに隣接して設けられていることを特徴とする面発光照明器具。
【請求項２】
前記光源は、前記開口面の略法線方向を光軸とし、前記筒状体の内部に収容されていることを特徴とする請求項１に記載の面発光照明器具。
【発明の詳細な説明】
【技術分野】
【０００１】
本発明は、住宅のリビングルーム等にあって、比較的大面積の床面を均一に発光することに好適な面発光照明器具に関する。
【背景技術】
【０００２】
住宅のリビングダイニングルーム等において、例えば、ダイニングで食事をしている人がいる一方、リビングの一画ではくつろいでいる人がいる等、複数人が一つの室内スペースを同時に異なる使い方をする場合がある。そのような場合、物理的な間仕切りを用いてダイニングとリビングを区切ると、各人のプライベート感は確保されるが、開放感が阻害される。そこで、物理的な間仕切りを用いずにモノスペースとしての開放感を確保しつつ、光を使って室内の一画を心理的にゆるやかに区切ってプライベート感を醸成する、ゾーニングという照明手法がある。図９は、リビングダイニングルーム１００を光を使ってゾーニングした照明例を示す。この例では、リビング１０１の床面にゾーニング用の大面積の面発光照明器具１０２が配置されている。面発光照明器具１０２は、筐体１０３の内部に光源を有し、比較的大面積のパネル１０４から光を出射する。パネル１０４上には、什器１０５が積載されている。ダイニング１０６は、天井照明器具１０７によりダイニングテーブル付近が照明されている。リビング１０１とダイニング１０６の間は、照度が低くされており（ドットパターンで図示）、リビング１０１とダイニング１０６は、それぞれ面発光照明器具１０２と天井照明器具１０７からの光によってゾーニングされる。
【０００３】
面発光照明器具１０２として、例えば、多数の光源を均等に配置し、各光源からの光を光拡散乳白パネル等の拡散板によって拡散して均一な面輝度とする内照方式がある。内照方式の面発光照明器具は、直管蛍光灯を多管配置するものや、多数本の光ファイバーを漏光させるものが知られている（例えば、特許文献１参照）。また、ＬＥＤモジュールをアレイ化した内照方式の面発光照明器具や、有機ＥＬ等の面発光源体をアレイ化して大面積光源を構成するものが考えられる。
【０００４】
上記のような面発光照明器具１０２は、床面照明器具として用いられる場合、光が出射されるパネル１０４上に直接、家具等の什器１０５や人が積載されることから、これらの荷重に耐する強度の確保が難しい。また、発光面積が大きくなると、多数の光源を必要とすることから、例えば、ＬＥＤモジュールの光源ではＬＥＤチップ間に輝度ムラが生じ、有機ＥＬ等の面発光源体では面発光源体間に繋ぎ目が生じる等、均一な面輝度にすることが難しい。
【０００５】
一方、発光させる面に蛍光物質を塗布し、ブラックライトから蛍光物質に紫外線を照射して、大面積を均一な面輝度で発光させる方式が考えられる。この方式では、荷重に対する強度は確保できるが、光を使ったゾーニングを行うための十分な輝度が得られない。
【特許文献１】特開平１１−１４２６５２号公報
【発明の開示】
【発明が解決しようとする課題】
【０００６】
本発明は、上記問題を解決するものであり、光が出射されるパネル上に人や什器等が積載されても耐えられる強度を有すると共に、均一な面輝度が得られる、床面照明器具に用いるのに適した面発光照明器具を提供することを目的とする。
【課題を解決するための手段】
【０００７】
上記目的を達成するために請求項１の発明は、光出射用の開口面を有する筐体と、前記開口面に取り付けられる透光性を有するパネルと、前記筐体に収容される光源と、を備えた面発光照明器具であって、前記筐体の内部空間に配置され、前記パネルを支持するパネル支持ブロックを備え、前記パネル支持ブロックは、前記開口面の略法線方向を軸とする複数の透光性を有する筒状体から成り、これら複数の筒状体は面状に互いに隣接して設けられているものである。
【０００８】
請求項２の発明は、請求項１に記載の面発光照明器具において、前記光源は、前記開口面の略法線方向を光軸とし、前記筒状体の内部に収容されているものである。
【発明の効果】
【０００９】
請求項１の発明によれば、光が出射される開口面に取り付けられるパネルを、開口面の法線方向を軸とする筒状体から成るパネル支持ブロックによって支持しているので、パネル上に人や什器等の荷重が加わっても破損することがなくなり、また、透光性を有する筒状体が光源の配置によらず筐体内の光に対する障害にならないので、均一な面輝度を得ることができる。
【００１０】
請求項２の発明によれば、光源からの光が他の部材を透過することなくパネルに到達するので、発光効率を損なうことがなくなる。
【発明を実施するための最良の形態】
【００１１】
（第１の実施形態）
本発明の第１の実施形態に係る面発光照明器具を図１（ａ）（ｂ）乃至図５を参照して説明する。図１（ａ）（ｂ）は本実施形態の面発光照明器具１の構成を示す。面発光照明器具１は、光出射用の開口面２１を上面に有する箱状の筐体２と、その開口面２１に取り付けられる透光性を有するパネル３と、筐体２に収容される光源４と、筐体２の内部空間に収容されてパネル３を支持するパネル支持ブロック５とを備える。パネル支持ブロック５は、筐体２の開口面２１の略法線方向を軸とする複数の透光性を有する筒状体５１から成る。これら複数の筒状体５１は面状に互いに隣接して設けられている。光源４は、開口面２１の略法線方向を光軸とし、筒状体５１の内部に収容されている。
【００１２】
筐体２は、樹脂、木材又は金属等で構成され、筐体２の内側面は、光源４から照射された光が減衰しないように、高反射拡散反射材が内張りされている。この拡散反射材は、例えば、アルミニウムや鋼板を所定の形状に賦形した後、脱脂、洗浄、乾燥し、白色粉体塗料を６０ミクロンの塗膜厚で内面に塗装焼付けしたものである。白色粉体塗料は、塩素法により製造された高純度酸化チタンをポリエステル樹脂、エポキシポリエステル樹脂に分散して得られる。また、拡散反射材は、白色高反射ポリエステルフィルム（東レ製、商品名「ルミラー」）や超微細発泡光反射板（古河電気工業製、商品名「ＭＣＰＥＴ」）等の高反射白色フィルム又はシートを所定の形状に賦形したものであってもよい。これら拡散反射材の反射特性は、正反射率が殆ど０％で全反射率が９５〜９９％であり、反射の９９％以上が拡散反射成分である。
【００１３】
パネル３は、透光性を有するポリカーボネート、アクリル、又は強化ガラス板等の透明板により構成される。パネル３は、透明板に替えて、光拡散材を添加した乳白板や、表面にショットブラストにより凹凸を付けた艶消し板を用いてもよい。また、ユーザの好みに合わせて任意な絵柄をパネル３にプリントすることにより意匠性を高めてもよい。
【００１４】
パネル支持ブロック５は、断面多角形の複数の筒状体５１を互いに面状に隣接して設けてハニカム構造体としたものであり、その上端がパネル３の下面に接してパネル３を支持する。筒状体５１の板厚は、成形性と耐荷重強度および光の透過性を考慮して、２ｍｍ乃至５ｍｍが望ましい。筒状体５１は、アクリルやポリカーボネート等の透光性材料を押出成形するか、アクリル樹脂又はポリカーボネート樹脂からなる樹脂シートを貼り合わせ加工することにより製造される。光源４からの光が満遍なく筐体２内で散乱し、パネル３から出射されることが望ましいため、筒状体５１を形成するアクリル樹脂やポリカーボネート樹脂には、光拡散剤が添加されていることが望ましい。光拡散剤としては、酸化チタン（ＴｉＯ２）、硫酸バリウム（ＢａＳＯ４）、炭酸カルシウム（ＣａＣＯ３）、ベンゾグナミン樹脂粒やシリコン樹脂粒等が挙げられる。この中でも特に、平均粒径２ミクロンの真球シリコン樹脂粒を０．５〜２．０％程度添加したものが、可視光拡散性に優れ、光の吸収が無く透過性も良いため光拡散剤として望ましい。
【００１５】
図２及び図３は、それぞれ別の種類のパネル支持ブロック５の一部を拡大して示す。筒状体５１は、その中空筒の底面部に光源４を収容している。光源４は、例えば、白色ＬＥＤ、ＥＬ光源やフラット蛍光灯ランプ等である。光源４の光軸４１は、光源４からパネル３に向かう筐体２の開口面２１の略法線方向とされる。図２の例においては、筒状体５１の内部に上方に拡がった複数の斜面５２から成る下方側を頂点とする多角錐体が形成され、その下方側頂点部に一つの光源４が配置されている。多角錐体の外方は、中実であっても、中空であってもよい。斜面５２は、曲面であってもよい。また、図３に示す例においては、筒状体５１は、中空筒の内側面５３が略垂直面に形成され、中空筒の底面部に複数の光源４が配置されている。
【００１６】
図４（ａ）（ｂ）はそれぞれ図２に示される筒状体５１の中実の場合と中空の場合の断面構成を示す。図４（ａ）に示すように、筒状体５１の斜面５２には、反射板６が設けられている。反射板６は、光源４からの光を完全に反射すると、光が筐体２内へ広がらず、パネル３天面の面輝度が不均一になるため、２０ｎｍ以下の膜厚の光輝金属から成るハーフミラー材が用いられる。ハーフミラー材は、蒸着またはスパッタ法によって筒状体５１の斜面５２に成膜される。また、図４（ｂ）に示すように、筒状体５１の中空筒に、透明なアクリル樹脂又はポリカーボネート樹脂等を成型してハーフミラー材を成膜した反射板７が設けられる。なお、図３に示される筒状体５１は、底面に複数の光源４を略等密度に配置することにより、反射板７を不要としている。
【００１７】
上記のように構成された面発光照明器具１の使用状態について次に説明する。図５は、面発光照明器具１の使用状態における配置例を示す。面発光照明器具１は、リビングの床１２に配置されている。このリビングは、壁１３に設けられた窓１４がシャッター等によって遮光されて全体的に照度が低くされており（ドットパターンで図示）、面発光照明器具１が配置された一画が光でゾーニングされる。什器１１が面発光照明器具１の上に積載されており、人が乗ることもある。什器１１等の荷重は天面のパネル３に加わり、パネル３はパネル支持ブロック５によって筐体２の底面から支持されている。このため、パネル３は、人や什器１１の荷重に耐えることができる。また、パネル支持ブロック５は、複数の筒状体５１を互いに面状に隣接して設けてブロック状の構造体としたものであるので、筒状体５１の離散的な配置よりも強度がさらに向上し、パネル３を構造的に支持する。このため、面発光照明器具１は、パネル３上に人や什器１１等の荷重が加わっても破損することがなくなる。
【００１８】
また、筒状体５１が透光性を有していることにより、光源４からの光は、筒状体５１に遮られることなく筐体２内へ広がり、パネル３の天面から出射される。このため、光源４の配置によらず均一な面輝度が得られる。例えば、光源４として有機ＥＬ等の面発光源体をアレイ化して用いた場合、面発光源体間に繋ぎ目が生じず、光源４として複数のＬＥＤを用いた場合、ＬＥＤチップの輝度にばらつきがあっても輝度ムラが生じない。また、光源４が筐体２の開口面２１の略法線方向を光軸とし、筒状体５１の内部に収容されているので、光源４からの光が他の部材を透過することなくパネル３に到達し、部材透過に伴う損失が防がれ、発光効率を損なうことがなくなる。
【００１９】
（第２の実施形態）
本発明の第２の実施形態に係る面発光照明器具を図６乃至図８を参照して説明する。以下の説明において、第１の実施形態と同等の箇所の詳細な説明は省略する。図６は、本実施形態の面発光照明器具１の構成を示す。本実施形態の面発光照明器具１は、パネル支持ブロック５として、第１の実施形態におけるハニカム構造体に替えて、角中空筒状の複数の筒状体５４を面状に配置した構造体を用いている。光源４は、筒状体５４の内部に収容される。
【００２０】
図７及び図８は、それぞれ別の種類のパネル支持ブロック５の一部を拡大して示す。光源４には、矩形のＥＬ光源が用いられる。図７の例においては、パネル支持ブロック５は、複数の筒状体５４が格子状に配置されて構成される。また、図８に示す例においては、パネル支持ブロック５は、複数の筒状体５４が千鳥格子状に配置されて構成される。筒状体５４を格子状に配置して構成されたパネル支持ブロック５に、光源４を千鳥格子状に配置してもよい。光源４を筒状体５４が透光性を有することにより、光源４が千鳥格子状に配置されても、面輝度は均一となる。
【００２１】
本実施形態に係る面発光照明器具１によれば、パネル支持ブロック５を角中空筒状の筒状体５４で構成したので、ハニカム構造体よりも製造が容易であり、製造コストを低減することができる。また、光源４を千鳥格子状に配置することにより、格子状に配置するよりも製造コストをさらに低減することができる。
【００２２】
なお、本発明は、上記の実施形態の構成に限られず、発明の要旨を変更しない範囲で種々の変形が可能である。例えば、面発光照明器具１は、床面照明器具の用途に限られず、パーテーションやドアとして用いてもよい。
【図面の簡単な説明】
【００２３】
【図１】（ａ）は本発明の第１の実施形態に係る面発光照明器具の外観図、（ｂ）は同器具の分解斜視図。
【図２】同器具における筒状体の一例の斜視図。
【図３】同器具における筒状体の別の一例の斜視図。
【図４】（ａ）は同器具における筒状体の断面図、（ｂ）は同筒状体の変形例の断面図。
【図５】同器具の使用状態の例を示す図。
【図６】本発明の第２の実施形態に係る面発光照明器具の分解斜視図。
【図７】同器具における筒状体の一例の斜視図。
【図８】同器具における筒状体の別の一例の斜視図。
【図９】面発光照明器具による照明例を示す図。
【符号の説明】
【００２４】
１  面発光照明器具
２  筐体
２１  開口面
３  パネル
４  光源
４１  光軸
５  パネル支持ブロック
５１、５４  筒状体
【図１】
2010123378.tif 000003
【図２】
2010123378.tif 000004
【図３】
2010123378.tif 000005
【図４】
2010123378.tif 000006
【図５】
2010123378.tif 000007
【図６】
2010123378.tif 000008
【図７】
2010123378.tif 000009
【図８】
2010123378.tif 000010
【図９】
2010123378.tif 000011